(57)【要約】【課題】電源の状態に関係なく、消費電力を節約しつつ、より確実かつ正確に時刻修正をすること。【解決手段】時刻を計時する計時部１０１と、時刻情報を含む標準電波を受信する受信部１０２と、受信部１０２による受信結果に基づいて、計時部１０１によって計時されている時刻（「計時時刻」）を修正するか否か（「修正可否」）を判断する時刻修正判断部１０３と、時刻修正判断部１０３によって判断された修正可否の結果に基づいて、計時時刻を修正する時刻修正部１０４と、を備え、時刻修正判断部１０３が、修正可否を判断するための複数の判断基準を有し、当該複数の判断基準のうちのいずれか一つを選択し、選択された判断基準を用いて修正可否を判断する。【選択図】図１
2007263887.tif 000002
【特許請求の範囲】
【請求項１】
時刻を計時する計時手段と、
時刻情報を含む標準電波を受信する受信手段と、
前記受信手段による受信結果に基づいて、前記計時手段によって計時されている時刻（以下「計時時刻」という）を修正するか否か（以下「修正可否」という）を判断する時刻修正判断手段と、
前記時刻修正判断手段によって判断された前記修正可否の結果に基づいて、前記計時時刻を修正する時刻修正手段と、
を備え、
前記時刻修正判断手段は、前記修正可否を判断するための複数の判断基準を有し、当該複数の判断基準のうちのいずれか一つを選択し、選択された判断基準を用いて前記修正可否を判断することを特徴とする電波修正時計。
【請求項２】
前記時刻修正判断手段は、前記受信手段によって受信された標準電波に基づいて、正しい時刻情報が得られたか否かに関する評価をおこなう時刻情報評価手段を備え、
前記複数の判断基準は、前記時刻情報評価手段によっておこなわれた評価結果に基づいて、前記時刻修正判断手段が前記修正可否を判断するための基準であることを特徴とする請求項１に記載の電波修正時計。
【請求項３】
前記評価結果は、少なくとも、第１の評価結果と、当該第１の評価結果よりもより正しい時刻情報が得られたと評価する第２の評価結果を含み、
前記複数の判断基準は、前記第１の評価結果では、前記計時時刻の修正をおこなわずに、前記第２の評価結果では前記修正をおこなう第１の判断基準と、前記第１の評価結果および前記第２の評価結果のときにも前記修正をおこなう第２の判断基準とを含むことを特徴とする請求項２に記載の電波修正時計。
【請求項４】
前記受信手段は、あらかじめ定められた、前記標準電波の１回の受信動作における受信開始から終了までの時間（以下「受信時間」という）を複数有し、当該複数の受信時間のうちのいずれか一つを選択し、選択された受信時間だけ前記標準電波を受信し、
前記時刻修正判断手段は、前記受信手段によって選択された受信時間に応じて、前記複数の判断基準のうちのいずれか一つを選択し、選択された判断基準を用いて前記修正可否を判断することを特徴とする請求項１〜３のいずれか一つに記載の電波修正時計。
【請求項５】
前記受信手段は、あらかじめ定められた、前記標準電波の１回の受信動作における受信開始から終了までの時間（以下「受信時間」という）を複数有し、当該複数の受信時間は、第１の受信時間と、当該第１の受信時間よりも長い第２の受信時間を含み、
前記時刻修正判断手段は、前記第１の受信時間が選択された場合は、前記第１の判断基準を選択し、前記第２の受信時間が選択された場合は、前記第２の判断基準を選択することを特徴とする請求項３に記載の電波修正時計。
【請求項６】
電波修正時計本体を駆動する電池を備え、
通常の動作状態と、当該通常の動作状態よりも前記電池の消費電力の少ない節電状態の２つの動作状態を有し、
前記受信手段は、前記通常の動作状態では前記第２の受信時間を選択し、前記節電状態では前記第１の受信時間を選択することを特徴とする請求項５に記載の電波修正時計。
【請求項７】
電波修正時計本体を駆動する電池と、
前記電池の電圧を検出する電圧検出手段を備え、
前記受信手段は、前記電圧検出手段によって検出された結果、前記電圧が所定値以上では前記第２の受信時間を選択し、前記電圧が所定値未満では前記第１の受信時間を選択することを特徴とする請求項５に記載の電波修正時計。
【請求項８】
前記受信手段は、あらかじめ定められた、前記標準電波の１回の受信データ量（以下「受信データ量」という）を複数有し、当該複数の受信データ量のうちのいずれか一つを選択し、選択された受信データ量だけ前記標準電波を受信し、
前記時刻修正判断手段は、前記受信手段によって選択された受信データ量に応じて、前記複数の判断基準のうちのいずれか一つを選択し、選択された判断基準を用いて前記修正可否を判断することを特徴とする請求項１〜３のいずれか一つに記載の電波修正時計。
【請求項９】
前記複数の受信時間には、第１の受信データ量と、当該第１の受信データ量よりも多い第２の受信データ量を含み、
前記時刻修正判断手段は、前記第１の受信データ量が選択された場合は、前記第１の判断基準を選択し、前記第２の受信データ量が選択された場合は、前記第２の判断基準を選択することを特徴とする請求項８に記載の電波修正時計。
【請求項１０】
電波修正時計本体を駆動する電池を備え、
通常の動作状態と、当該通常の動作状態よりも前記電池の消費電力の少ない節電状態の２つの動作状態を有し、
前記受信手段は、前記通常の動作状態では前記第２の受信データ量を選択し、前記節電状態では前記第１の受信データ量を選択することを特徴とする請求項９に記載の電波修正時計。
【請求項１１】
電波修正時計本体を駆動する電池と、
前記電池の電圧を検出する電圧検出手段を備え、
前記受信手段は、前記電圧検出手段によって検出された結果、前記電圧が所定値以上では前記第２の受信データ量を選択し、前記電圧が所定値未満では前記第１の受信データ量を選択することを特徴とする請求項９に記載の電波修正時計。
【請求項１２】
操作指示の入力を受け付ける受付手段を備え、
前記時刻修正判断手段は、前記受付手段によって受け付けられた操作指示の入力に基づいて、前記複数の判断基準のうちのいずれか一つを選択し、選択された判断基準を用いて前記修正可否を判断することを特徴とする請求項１または２に記載の電波修正時計。
【請求項１３】
前記請求項１〜１２のいずれか一つに記載の電波修正時計を備えたことを特徴とする電子機器。
【請求項１４】
時刻情報を含む標準電波を受信する受信工程と、
前記受信工程による受信結果に基づいて、計時手段によって計時されている時刻（以下「計時時刻」という）を修正するか否か（以下「修正可否」という）を判断する時刻修正判断工程と、
前記時刻修正判断工程によって判断された前記修正可否の結果に基づいて、前記計時時刻を修正する時刻修正工程と、
を含み、
前記時刻修正判断工程は、前記修正可否を判断するための複数の判断基準を有し、当該複数の判断基準のうちのいずれか一つを選択し、選択された判断基準を用いて前記修正可否を判断することを特徴とする時刻修正方法。
【発明の詳細な説明】
【技術分野】
【０００１】
この発明は、時刻情報を含む標準電波を受信し、受信された標準電波に含まれる時刻情報に基づいて時刻を修正する電波修正時計、電子機器および時刻修正方法に関する。
【背景技術】
【０００２】
従来から、時計が使用されていない状態、たとえば光発電検出機能を備えた発電時計において、非発電状態が長期間続くと、節電状態になる。通常、時計使用可能状態では、定時受信、強制受信などで時刻情報を含む標準電波の受信をおこない、時刻修正に必要とするデータをすべて受信するのに対して、節電状態では電力消費を抑制するために、標準電波の受信を禁止したり、定時受信の受信間隔を広げたりしていた。また、節電状態の場合は、通常よりも、受信データ量を減らして節電効果を高める技術が存在する（たとえば、特許文献１参照。）。
【０００３】
また、電池電圧が低いときには、電池への負荷を軽減するために、標準電波の受信を禁止する技術も存在する。
【０００４】
【特許文献１】特開２００２−１３９５８６号公報
【発明の開示】
【発明が解決しようとする課題】
【０００５】
しかしながら、この従来の方法は、この場合、標準電波の受信を禁止してしまうことで、計時手段による時刻を表示することしかできず、より正確な時刻の表示をすることができなかった。また、受信データ量を減らして時刻の修正をおこなう場合であっても、データの信頼性が高い場合、すなわち受信レベルが高い場合は問題がないが、データの信頼性が低い場合、すなわち受信レベルが低い場合には、受信データ量が少ないことから、十分な安全マージンを確保することができず、誤判読されたデータに時刻が修正されてしまう可能性があるという問題点があった。
【０００６】
この発明は、上述した従来技術による問題点を解消するため、誤判読されたデータに時刻が修正されずに、より確実かつ正確に時刻修正をすることができる電波修正時計、電子機器および時刻修正方法を提供することを目的とする。
【課題を解決するための手段】
【０００７】
上述した課題を解決し、目的を達成するため、この発明にかかる電波修正時計は、時刻を計時する計時手段と、時刻情報を含む標準電波を受信する受信手段と、前記受信手段による受信結果に基づいて、前記計時手段によって計時されている時刻（以下「計時時刻」という）を修正するか否か（以下「修正可否」という）を判断する時刻修正判断手段と、前記時刻修正判断手段によって判断された前記修正可否の結果に基づいて、前記計時時刻を修正する時刻修正手段と、を備え、前記時刻修正判断手段が、前記修正可否を判断するための複数の判断基準を有し、当該複数の判断基準のうちのいずれか一つを選択し、選択された判断基準を用いて前記修正可否を判断することを特徴とする。
【０００８】
また、この発明にかかる電波修正時計は、上記の発明において、前記時刻修正判断手段が、前記受信手段によって受信された標準電波に基づいて、正しい時刻情報が得られたか否かに関する評価をおこなう時刻情報評価手段を備え、前記複数の判断基準が、前記時刻情報評価手段によっておこなわれた評価結果に基づいて、前記時刻修正判断手段が前記修正可否を判断するための基準であることを特徴とする。
【０００９】
また、この発明にかかる電波修正時計は、上記の発明において、前記評価結果が、少なくとも、第１の評価結果と、当該第１の評価結果よりもより正しい時刻情報が得られたと評価する第２の評価結果を含み、前記複数の判断基準が、前記第１の評価結果では、前記計時時刻の修正をおこなわずに、前記第２の評価結果では前記修正をおこなう第１の判断基準と、前記第１の評価結果および前記第２の評価結果のときにも前記修正をおこなう第２の判断基準とを含むことを特徴とする。
【００１０】
また、この発明にかかる電波修正時計は、上記の発明において、前記受信手段が、あらかじめ定められた、前記標準電波の１回の受信動作における受信開始から終了までの時間（以下「受信時間」という）を複数有し、当該複数の受信時間のうちのいずれか一つを選択し、選択された受信時間だけ前記標準電波を受信し、前記時刻修正判断手段が、前記受信手段によって選択された受信時間に応じて、前記複数の判断基準のうちのいずれか一つを選択し、選択された判断基準を用いて前記修正可否を判断することを特徴とする。
【００１１】
また、この発明にかかる電波修正時計は、上記の発明において、前記受信手段が、あらかじめ定められた、前記標準電波の１回の受信動作における受信開始から終了までの時間（以下「受信時間」という）を複数有し、当該複数の受信時間は、第１の受信時間と、当該第１の受信時間よりも長い第２の受信時間を含み、前記時刻修正判断手段が、前記第１の受信時間が選択された場合は、前記第１の判断基準を選択し、前記第２の受信時間が選択された場合は、前記第２の判断基準を選択することを特徴とする。
【００１２】
また、この発明にかかる電波修正時計は、上記の発明において、電波修正時計本体を駆動する電池を備え、通常の動作状態と、当該通常の動作状態よりも前記電池の消費電力の少ない節電状態の２つの動作状態を有し、前記受信手段が、前記通常の動作状態では前記第２の受信時間を選択し、前記節電状態では前記第１の受信時間を選択することを特徴とする。
【００１３】
また、この発明にかかる電波修正時計は、上記の発明において、電波修正時計本体を駆動する電池と、前記電池の電圧を検出する電圧検出手段を備え、前記受信手段が、前記電圧検出手段によって検出された結果、前記電圧が所定値以上では前記第２の受信時間を選択し、前記電圧が所定値未満では前記第１の受信時間を選択することを特徴とする。
【００１４】
また、この発明にかかる電波修正時計は、上記の発明において、前記受信手段が、あらかじめ定められた、前記標準電波の１回の受信データ量（以下「受信データ量」という）を複数有し、当該複数の受信データ量のうちのいずれか一つを選択し、選択された受信データ量だけ前記標準電波を受信し、前記時刻修正判断手段が、前記受信手段によって選択された受信データ量に応じて、前記複数の判断基準のうちのいずれか一つを選択し、選択された判断基準を用いて前記修正可否を判断することを特徴とする。
【００１５】
また、この発明にかかる電波修正時計は、上記の発明において、前記複数の受信時間にが、第１の受信データ量と、当該第１の受信データ量よりも多い第２の受信データ量を含み、前記時刻修正判断手段が、前記第１の受信データ量が選択された場合は、前記第１の判断基準を選択し、前記第２の受信データ量が選択された場合は、前記第２の判断基準を選択することを特徴とする。
【００１６】
また、この発明にかかる電波修正時計は、上記の発明において、電波修正時計本体を駆動する電池を備え、通常の動作状態と、当該通常の動作状態よりも前記電池の消費電力の少ない節電状態の２つの動作状態を有し、前記受信手段が、前記通常の動作状態では前記第２の受信データ量を選択し、前記節電状態では前記第１の受信データ量を選択することを特徴とする。
【００１７】
また、この発明にかかる電波修正時計は、上記の発明において、電波修正時計本体を駆動する電池と、前記電池の電圧を検出する電圧検出手段を備え、前記受信手段が、前記電圧検出手段によって検出された結果、前記電圧が所定値以上では前記第２の受信データ量を選択し、前記電圧が所定値未満では前記第１の受信データ量を選択することを特徴とする。
【００１８】
また、この発明にかかる電波修正時計は、上記の発明において、操作指示の入力を受け付ける受付手段を備え、前記時刻修正判断手段が、前記受付手段によって受け付けられた操作指示の入力に基づいて、前記複数の判断基準のうちのいずれか一つを選択し、選択された判断基準を用いて前記修正可否を判断することを特徴とする。
【００１９】
また、この発明にかかる電子機器は、上記のいずれか一つに記載の電波修正時計を備えたことを特徴とする。
【００２０】
また、この発明にかかる時刻修正方法は、時刻情報を含む標準電波を受信する受信工程と、前記受信工程による受信結果に基づいて、計時手段によって計時されている時刻（以下「計時時刻」という）を修正するか否か（以下「修正可否」という）を判断する時刻修正判断工程と、前記時刻修正判断工程によって判断された前記修正可否の結果に基づいて、前記計時時刻を修正する時刻修正工程と、を含み、前記時刻修正判断工程が、前記修正可否を判断するための複数の判断基準を有し、当該複数の判断基準のうちのいずれか一つを選択し、選択された判断基準を用いて前記修正可否を判断することを特徴とする。
【発明の効果】
【００２１】
本発明によれば、このように、誤判読されたデータに時刻が修正されずに、より確実かつ正確に時刻修正をすることが可能な電波修正時計、電子機器および時刻修正方法が得られるという効果を奏する。
【発明を実施するための最良の形態】
【００２２】
以下に添付図面を参照して、この発明による電波修正時計、電子機器および時刻修正方法の実施の形態を詳細に説明する。
【００２３】
（電波修正時計の機能的構成）
まず、電波修正時計の機能的構成について説明する。図１は、この発明の実施の形態にかかる電波修正時計の機能的構成を示す説明図である。
【００２４】
図１において、電波修正時計は、計時部１０１と、受信部１０２と、時刻修正判断部１０３と、時刻修正部１０４と、判断基準記憶部１０５と、時刻情報評価部１０６と、電池１０７と、電圧検出部１０８と、受付部１０９と、を含む構成である。
【００２５】
計時部１０１は、時刻を計時する。また、受信部１０２は、時刻情報を含む標準電波を受信する。そして、時刻修正判断部１０３は、受信部１０２による受信結果に基づいて、計時部１０１によって計時されている時刻（「計時時刻」）を修正するか否か（「修正可否」）を判断する。時刻修正部１０４は、時刻修正判断部１０３によって判断された修正可否の結果に基づいて、上記計時時刻を修正する。
【００２６】
ここで、判断基準記憶部１０５には、あらかじめ記憶された修正可否を判断するための複数の判断基準を有しており、時刻修正判断部１０３は、当該複数の判断基準のうちのいずれか一つを選択し、選択された判断基準を用いて修正可否を判断する。
【００２７】
また、時刻情報評価部１０６は、受信部１０２によって受信された標準電波に基づいて、正しい時刻情報が得られたか否かに関する評価をおこなう。そして、上記複数の判断基準は、時刻情報評価部１０６によっておこなわれた評価結果に基づいて、時刻修正判断部１０３が修正可否を判断するための基準となる。
【００２８】
評価結果には、少なくとも、第１の評価結果と、当該第１の評価結果よりもより正しい時刻情報が得られたと評価する第２の評価結果を含んでいる。評価結果とは、具体的には、たとえば標準電波の受信レベルであってもよい。受信レベルは、通常、数段階（たとえば受信レベルの高い順から“Ｈ”、“Ｍ”、“Ｌ”の３段階）に分けられ、たとえば、第１の評価結果を“Ｍ”および“Ｌ”とし、第２の評価結果を“Ｈ”とすることができる。
【００２９】
受信レベルは、所定時間当たり（たとえば１分間）のエラービット数で決めることができる。たとえば、“Ｈ”レベルはエラービットが「０」、“Ｍ”レベルはエラービットが「１〜２」、“Ｌ”レベルはエラービットが「３〜５」とすることができる。この受信レベルは、上記に限定されるものではなく、任意に設定することができる。
【００３０】
複数の判断基準には、第１の評価結果では計時時刻の修正をおこなわずに、第２の評価結果では修正をおこなう第１の判断基準と、第１の評価結果および第２の評価結果のときにも修正をおこなう第２の判断基準とを含んでいてもよい。
【００３１】
受信部１０２は、あらかじめ定められた、標準電波の１回の受信動作における受信開始から終了までの時間（「受信時間」）を複数有し、当該複数の受信時間のうちのいずれか一つを選択し、選択された受信時間だけ標準電波を受信する。そして、時刻修正判断部１０３は、受信部１０２によって選択された受信時間に応じて、複数の判断基準のうちのいずれか一つを選択し、選択された判断基準を用いて修正可否を判断する。
【００３２】
図２は、標準電波の送信データのフォーマットの内容を示す説明図である。図２において、時刻データの送信は、１ｂｉｔ／秒で１分間を１フレームとしており、このフレーム内に「分」、「時」、１月１日からの「積算日」、「年」下２桁、「曜（日）」などの情報が含まれている。
【００３３】
また送信されるデータは“０”、“１”の他に“Ｐ”コードというマーカーが含まれている。この“Ｐ”コードは１フレームに数カ所あり、正分（０秒）、９秒、１９秒、２９秒、３９秒、４９秒、５９秒に出現する。この“Ｐ”コードが続けて現れるのは１フレーム中、５９秒、０秒の時、１回だけで、この続けて現れる位置が正分位置となる。すなわち、分・時データなどの時刻データはこの正分位置を基準としてフレーム中の位置が決まっているため、時刻データを取り出すためには、まずこの正分位置の検出をおこなう必要がある。
【００３４】
その後、１秒ごとに送信されてくるビットごとに、上記３種類のうちのどのデータであるかを波形を検出することによって判断する。したがって、受信時間は長ければそれだけ時刻情報の精度が増す。通常、３分〜１０分である。この中で、複数個の受信時間を用意することになる。複数の受信時間には、第１の受信時間と、当該第１の受信時間よりも長い第２の受信時間を含んでいる。そして、時刻修正判断部１０３は、第１の受信時間が選択された場合は、第１の判断基準を選択し、第２の受信時間が選択された場合は、第２の判断基準を選択するようにしてもよい。
【００３５】
電池１０７は、電波修正時計本体を駆動する。そして、通常の動作状態と、当該通常の動作状態よりも電池１０７の消費電力の少ない節電状態の２つの動作状態を有する。ここで、時刻修正判断部１０３は、通常の動作状態では第２の受信時間を選択し、節電状態では第１の受信時間を選択するようにしてもよい。
【００３６】
電圧検出部１０８は、電池１０７の電圧（値）を検出する。そして、受信部１０２は、電圧検出部１０８によって検出された結果、電圧が所定値以上では第２の受信時間を選択し、電圧が所定値未満では第１の受信時間を選択し、選択された受信時間だけ受信をおこなう。
【００３７】
また、受信部１０２は、あらかじめ定められた、標準電波の１回の受信データ量（「受信データ量」）を複数有し、当該複数の受信データ量のうちのいずれか一つを選択し、選択された受信データ量だけ標準電波を受信する。そして、時刻修正判断部１０３は、受信部１０２によって選択された受信データ量に応じて、複数の判断基準のうちのいずれか一つを選択し、選択された判断基準を用いて修正可否を判断するようにしてもよい。
【００３８】
複数の受信時間には、第１の受信データ量と、当該第１の受信データ量よりも多い第２の受信データ量を含む。時刻修正判断部１０３は、第１の受信データ量が選択された場合は、第１の判断基準を選択し、第２の受信データ量が選択された場合は、第２の判断基準を選択するようにしてもよい。
【００３９】
通常の動作状態と、当該通常の動作状態よりも電池１０７の消費電力の少ない節電状態の２つの動作状態を有し、受信部１０２は、通常の動作状態では第２の受信データ量を選択し、節電状態では第１の受信データ量を選択するようにしてもよい。
【００４０】
また、受信部１０２は、電圧検出部１０８によって検出された結果、電圧が所定値以上では第２の受信データ量を選択し、電圧が所定値未満では第１の受信データ量を選択するようにしてもよい。
【００４１】
受信データ量は、たとえば、図２で示すように、秒のみ（２回連続する“Ｐ”コードの検出のみ）、秒と分のみ（２回連続する“Ｐ”コードの検出後、約１０ビット（１０秒）の検出のみ）、秒と分と時のみ（２回連続する“Ｐ”コードの検出後、約２０ビット（２０秒）の検出のみ）、さらに積算日まで（２回連続する“Ｐ”コードの検出後、約３４ビット（３４秒）の検出のみ）、さらに年まで（２回連続する“Ｐ”コードの検出後、約５０ビット（５０秒）の検出のみ）、さらに曜日まで（２回連続する“Ｐ”コードの検出後、５３ビット（５３秒）の検出のみ）がそれぞれ検出できるデータ量である。
【００４２】
受付部１０９は、操作指示の入力を受け付ける。操作指示は、たとえば、ボタンの押下などである。そして、時刻修正判断部１０３は、受付部１０９によって受け付けられた操作指示の入力に基づいて、複数の判断基準のうちのいずれか一つを選択し、選択された判断基準を用いて修正可否を判断するようにしてもよい。このように構成することにより、例えば、ノイズが多い環境で使用する場合や、標準電波に含まれる時刻情報の誤判読に基づく時刻修正を確実に避けたい場合には、受信レベルが高いときだけ時刻が修正される判断基準を選択するなど、使用者が、使用目的に合わせて判断基準を選択することができる。
【００４３】
（電波修正時計のハードウエア構成）
まず、電波修正時計の機能的構成の一例について説明する。図３は、この発明の実施の形態にかかる電波修正時計のハードウエア構成の一例を示す説明図である。
【００４４】
図３において、電波修正時計は、アンテナ３０１と、同調部３０２と、受信ＯＮ／ＯＦＦ部３０３と、図１に示した受信部１０２と、を備える。受信部１０２には、増幅部３０４と、フィルタ部３０５と、検波部３０６と、ＡＤ変換部３０７と、ゲインコントロール部３０８とから構成される。
【００４５】
電波修正時計は、さらに、サンプリング部３０９と、データ判定部３１０と、受信レベル判定部３１１と、デコード部３１２と、取得データ量決定部３１３と、時計状態管理部３１４と、を備える。時計状態管理部３１４は、発電検出部３１５と、図１に示した電圧検出部１０８とから構成される。
【００４６】
電波修正時計は、さらにまた、時刻更新許可部３１６と、図１に示した計時部１０１と、発振部３１７と、表示部３１８と、を備える。また、同調部３０２は、アンテナ３０１と同調をとり、たとえばコンデンサの容量を切り替えなどによって４０ｋＨｚ、６０ｋＨｚなどの周波数にアンテナ３０１を同調する。受信ＯＮ／ＯＦＦ部３０３は、任意のタイミングあるいは図示を省略するスイッチの押下によって受信を開始したり、終了したりする。
【００４７】
受信部１０２の増幅部３０４はアンテナ３０１によって受信した信号を増幅する。また、フィルタ部３０５は所望の周波数（４０ｋＨｚ、６０ｋＨｚ）以外を除去する。また、検波部３０６は、受信した標準電波を検波する。また、ＡＤ変換部３０７は検波出力をデジタル出力に変換する。また、ゲインコントロール部３０８は増幅率を自動調整する。
【００４８】
サンプリング部３０９は、受信部１０２からの出力を一定周期（たとえば３２Ｈｚ）でサンプリングする。そして、データ判定部３１０は、サンプリング結果から“０”“１”“Ｐ”あるいはエラーを判定する。また、ノイズが含まれているかを判断し、エラー若しくはノイズありの場合はあわせて受信レベル判定部３１１へ出力する。
【００４９】
受信レベル判定部３１１は、データ判定部３１０からのエラー／ノイズ情報をカウントし、レベル分け（たとえば、“Ｈ”“Ｍ”“Ｌ”の３段階、あるいは５段階）をする。また、ゲインコントロール部３０８の出力によって受信電波の強弱による受信レベル分けでもよく、さらに、それらの両方でもよい。受信レベル判定部３１１によって、図１に示した時刻情報評価部１０６の機能を実現する。
【００５０】
デコード部３１２は、“０”“１”“Ｐ”コードに判定された結果に基づいて、図２に示したフォーマットを用いて時刻情報を生成する。取得データ量決定部３１３は、受信するデータ量を決定する。データ量には、たとえば、時刻データのみのデータ、時刻データと年月日などのカレンダ情報を含むデータ、さらに、秒のみ、秒と分、秒と分と時間などの種類が考えられる。
【００５１】
発電検出部３１５は、図示を省略する発電手段が発電状態か非発電状態かを検出する。そして、時計状態管理部３１４は、発電検出部３１５の検出結果に基づいて、非発電が所定時間継続した場合に節電状態に切り替えたり、節電状態にある場合に、受信時間、取得データ量を制限したりするよう取得データ量決定部３１３へ出力する。また、時計状態管理部３１４は、電圧検出部１０８から検出した電圧値に基づいて、充電量表示を更新したり、機能制限（ライト、アラーム禁止）をしたりする。
【００５２】
時刻更新許可部３１６は、時刻の更新（修正）をおこなうか否かを決定し、その決定にしたがって時刻の更新を実行（／不実行）する。時刻更新許可部３１６についての詳細は後述する（図４〜図７を参照）。受信レベル判定部３１１および時刻更新許可部３１６によって、図１に示した時刻修正判断部１０３の機能を実現する。
【００５３】
発振部３１７は、たとえば発振回路などからなり、計時部１０１は、発振部３１７（発振回路）からの信号を分周して、計時時間をカウントする時刻カウンタからなる。また、表示部３１８は、指針式およびデジタル表示の少なくともいずれかにて時刻を表示する。
【００５４】
上記データ判定部３１０、受信レベル判定部３１１、デコード部３１２、取得データ量決定部３１３、時計状態管理部３１４、時刻更新許可部３１６は、たとえば、図示を省略する、制御プログラムを記憶したＲＯＭおよび制御情報を記憶するＲＡＭのデータを用いて、演算処理手段（たとえばプロセッサ）が当該プログラムを実行することによって各構成部の機能を実現するようにしてもよい。
【００５５】
（時刻修正方法の手順）
つぎに、時刻修正方法の手順の一例について説明する。図４は、この発明の実施の形態にかかる時刻修正方法の手順の一例を示すフローチャートである。図４のフローチャートにおいて、まず、動作状態を検出する（ステップＳ４０１）。具体的には、たとえば、通常の動作状態であるか節電状態であるかを検出する。
【００５６】
ここで、節電状態ではなく、通常の動作状態である場合（ステップＳ４０２：Ｎｏ）は、通常の受信処理をおこなう（ステップＳ４０３）。そして、その受信処理の際の受信レベルを抽出し、抽出された受信レベルが、“Ｈｉ（Ｈ）”か“Ｍｉｄ（Ｍ）”か“Ｌｏｗ（Ｌ）”のいずれかである場合（ステップＳ４０４：Ｙｅｓ）は、時刻更新処理、すなわち計時している時刻を新たに受信した時刻情報にかかる時刻に更新し（ステップＳ４０５）、一連の処理を終了する。一方、ステップＳ４０４において、“Ｈｉ”か“Ｍｉｄ”か“Ｌｏｗ”のいずれでもない場合（ステップＳ４０４：Ｎｏ）は、時刻更新処理をおこなうことなく、一連の処理を終了する。ここまでは、通常の時刻修正方法とほぼ同じである。
【００５７】
ステップＳ４０２において、節電状態である場合（ステップＳ４０２：Ｙｅｓ）は、つぎに、受信電波の受信レベルを検出する（ステップＳ４０６）。ここで、検出した受信レベルが“Ｈｉ”でない（すなわち、“Ｍｉｄ”か“Ｌｏｗ”あるいはそれ以下である）場合（ステップＳ４０７：Ｎｏ）は、標準電波の受信処理をすることなく（当然、時刻更新処理もすることなく）、一連の処理を終了する。これによって、節電モードの際は、受信レベルが所定値以上（すなわち“Ｈｉ”）の場合のみ、標準電波の受信処理および時刻修正をおこなうようにすることができる。
【００５８】
ステップＳ４０７において、検出した受信レベルが“Ｈｉ”である場合（ステップＳ４０７：Ｙｅｓ）は、受信処理をおこなう（ステップＳ４０８）。ここでおこなわれる受信処理は、ステップＳ４０３においておこなわれた通常の受信処理と同じでもよく、また、当該通常の受信処理よりも受信時間が短い受信処理であってもよい。その後、ステップＳ４０５へ移行して、時刻更新処理をおこなう。ここでは、受信レベルが“Ｈｉ”であることから、当然時刻情報の信頼度が高いと考えられるので、時刻更新処理をおこなっても問題になることはない。その後、一連の処理を終了する。
【００５９】
図５は、この発明の実施の形態にかかる時刻修正方法の手順の別の一例を示すフローチャートである。図５のフローチャートにおいて、まず、動作状態を検出する（ステップＳ５０１）。具体的には、たとえば、通常の動作状態であるか節電状態であるかを検出する。
【００６０】
ここで、節電状態ではなく、通常の動作状態である場合（ステップＳ５０２：Ｎｏ）は、通常の受信処理をおこなう（ステップＳ５０３）。そして、その受信処理の際の受信レベルを抽出し、抽出された受信レベルが、“Ｈｉ”か“Ｍｉｄ”か“Ｌｏｗ”のいずれかである場合（ステップＳ５０４：Ｙｅｓ）は、時刻更新処理、すなわち計時している時刻を新たに受信した時刻情報にかかる時刻に更新し（ステップＳ５０５）、一連の処理を終了する。一方、ステップＳ５０４において、“Ｈｉ”か“Ｍｉｄ”か“Ｌｏｗ”のいずれでもない場合（ステップＳ５０４：Ｎｏ）は、時刻更新処理をおこなうことなく、一連の処理を終了する。ここまでは、図４に示した時刻修正方法とほぼ同じである。
【００６１】
ステップＳ５０２において、節電状態である場合（ステップＳ５０２：Ｙｅｓ）は、つぎに、受信処理をおこなう（ステップＳ５０６）。ここでおこなわれる受信処理は、ステップＳ５０３においておこなわれた通常の受信処理と同じでもよく、また、当該通常の受信処理よりも受信する受信電波に含まれる時刻情報のデータ量が少なくなるような受信処理であってもよい。
【００６２】
つぎに、受信電波の受信レベルを検出する（ステップＳ５０７）。ここで、検出した受信レベルが“Ｈｉ”でない（すなわち、“Ｍｉｄ”か“Ｌｏｗ”あるいはそれ以下である）場合（ステップＳ５０８：Ｎｏ）は、時刻更新処理をすることなく、一連の処理を終了する。これによって、節電モードの際は、受信レベルが所定値以上（すなわち“Ｈｉ”）の場合のみ、時刻修正をおこなうようにすることができる。
【００６３】
ステップＳ５０８において、検出した受信レベルが“Ｈｉ”である場合（ステップＳ５０８：Ｙｅｓ）は、ステップＳ５０５へ移行して、時刻更新処理をおこなう。ここでは、受信レベルが“Ｈｉ”であることから、当然時刻情報の信頼度が高いと考えられるので、時刻更新処理をおこなっても問題になることはない。その後、一連の処理を終了する。
【００６４】
図６は、この発明の実施の形態にかかる時刻修正方法の手順の別の一例を示すフローチャートである。図６のフローチャートにおいて、まず、電池１０７の電圧値を検出する（ステップＳ６０１）。具体的には、たとえば、所定の電圧値以上かそれ未満かを検出する。
【００６５】
ここで、検出された電圧値が所定値以上である場合（ステップＳ６０２：Ｙｅｓ）は、通常の受信処理をおこなう（ステップＳ６０３）。そして、その受信処理の際の受信レベルを抽出し、抽出された受信レベルが、“Ｈｉ”か“Ｍｉｄ”か“Ｌｏｗ”のいずれかである場合（ステップＳ６０４：Ｙｅｓ）は、時刻更新処理をおこない（ステップＳ６０５）、一連の処理を終了する。
【００６６】
一方、ステップＳ６０４において、“Ｈｉ”か“Ｍｉｄ”か“Ｌｏｗ”のいずれでもない場合（ステップＳ６０４：Ｎｏ）は、時刻更新処理をおこなうことなく、一連の処理を終了する。このように、電池１０７の電圧が所定値以上の場合にのみ通常受信をおこない、時刻更新処理をすることによって、電圧値が低い場合に消費電力を浪費することを防止することができる。
【００６７】
ステップＳ６０２において、検出された電圧値が所定値未満である場合（ステップＳ６０２：Ｎｏ）は、つぎに、受信電波の受信レベルを検出する（ステップＳ６０６）。ここで、検出した受信レベルが“Ｈｉ”でない（すなわち、“Ｍｉｄ”か“Ｌｏｗ”あるいはそれ以下である）場合（ステップＳ６０７：Ｎｏ）は、標準電波の受信処理をすることなく（当然、時刻更新処理もすることなく）、一連の処理を終了する。これによって、電池１０７の電圧が所定値未満の場合は、受信レベルが所定値以上（すなわち“Ｈｉ”）の場合のみ、標準電波の受信処理および時刻修正をおこなうようにすることができる。
【００６８】
ステップＳ６０７において、検出した受信レベルが“Ｈｉ”である場合（ステップＳ６０７：Ｙｅｓ）は、受信処理をおこなう（ステップＳ６０８）。ここでおこなわれる受信処理は、ステップＳ６０３においておこなわれた通常の受信処理と同じでもよく、また、当該通常の受信処理よりも受信時間が短い受信処理であってもよい。その後、ステップＳ６０５へ移行して、時刻更新処理をおこなう。ここでは、受信レベルが“Ｈｉ”であることから、当然時刻情報の信頼度が高いと考えられるので、時刻更新処理をおこなっても問題になることはない。その後、一連の処理を終了する。
【００６９】
図７は、この発明の実施の形態にかかる時刻修正方法の手順の別の一例を示すフローチャートである。図７のフローチャートにおいて、まず、電池１０７の電圧値を検出する（ステップＳ７０１）。具体的には、たとえば、所定の電圧値以上かそれ未満かを検出する。
【００７０】
ここで、検出された電圧値が所定値以上である場合（ステップＳ７０２：Ｙｅｓ）は、通常の受信処理をおこなう（ステップＳ７０３）。そして、その受信処理の際の受信レベルを抽出し、抽出された受信レベルが、“Ｈｉ”か“Ｍｉｄ”か“Ｌｏｗ”のいずれかである場合（ステップＳ７０４：Ｙｅｓ）は、時刻更新処理をおこない（ステップＳ７０５）、一連の処理を終了する。一方、ステップＳ７０４において、“Ｈｉ”か“Ｍｉｄ”か“Ｌｏｗ”のいずれでもない場合（ステップＳ７０４：Ｎｏ）は、時刻更新処理をおこなうことなく、一連の処理を終了する。ここまでは、図６に示した時刻修正方法とほぼ同じである。
【００７１】
ステップＳ７０２において、検出された電圧値が所定値未満である場合（ステップＳ７０２：Ｎｏ）は、つぎに、受信処理をおこなう（ステップＳ７０６）。ここでおこなわれる受信処理は、ステップＳ７０３においておこなわれた通常の受信処理と同じでもよく、また、当該通常の受信処理よりも受信する受信電波に含まれる時刻情報のデータ量が少なくなるような受信処理であってもよい。
【００７２】
つぎに、受信電波の受信レベルを検出する（ステップＳ７０７）。ここで、検出した受信レベルが“Ｈｉ”でない（すなわち、“Ｍｉｄ”か“Ｌｏｗ”あるいはそれ以下である）場合（ステップＳ７０８：Ｎｏ）は、時刻更新処理をすることなく、一連の処理を終了する。これによって、電池１０７の電圧が所定値未満の場合は、受信レベルが所定値以上（すなわち“Ｈｉ”）の場合のみ、時刻修正をおこなうようにすることができる。
【００７３】
ステップＳ７０８において、検出した受信レベルが“Ｈｉ”である場合（ステップＳ７０８：Ｙｅｓ）は、ステップＳ７０５へ移行して、時刻更新処理をおこなう。ここでは、受信レベルが“Ｈｉ”であることから、当然時刻情報の信頼度が高いと考えられるので、時刻更新処理をおこなっても問題になることはない。その後、一連の処理を終了する。
【００７４】
以上説明したように、本実施の形態にかかる電波修正時計、電子機器および時刻修正方法によれば、節電中の受信は受信レベルが高いと判断されたときのみ受信が成功したものとみなして計時部１０１の時刻を受信時刻に更新（修正）するとともに、電圧が低いときは受信レベルが高いと判断されたときのみ受信をおこない、更新処理もおこなうので、電源の状態に関係なく、消費電力を節約しつつ、より確実かつ正確に時刻修正をすることができる。
【００７５】
なお、上記実施の形態においては、電波修正時計について説明したが、この電波修正時計は、腕時計、掛け時計、置き時計などすべての種類の時計が含まれる。また、本発明は、電波修正時計に限定されるものではなく、電波修正時計を内蔵した、カメラ、デジタルカメラ、デジタルビデオカメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、さらに、家電や自動車を含む電子機器であってもよい。
【産業上の利用可能性】
【００７６】
以上のように、本発明にかかる電波修正時計、電子機器および時刻修正方法は、標準時刻情報信号を含む標準電波を受信し、受信した標準電波にかかる標準時刻情報信号に基づいて、時刻を修正する時計、電子機器などに用いるのに適している。
【図面の簡単な説明】
【００７７】
【図１】この発明の実施の形態にかかる電波修正時計の機能的構成を示す説明図である。
【図２】標準電波の送信データのフォーマットの内容を示す説明図である。
【図３】この発明の実施の形態にかかる電波修正時計のハードウエア構成の一例を示す説明図である。
【図４】この発明の実施の形態にかかる時刻修正方法の手順の一例を示すフローチャートである。
【図５】この発明の実施の形態にかかる時刻修正方法の手順の別の一例を示すフローチャートである。
【図６】この発明の実施の形態にかかる時刻修正方法の手順の別の一例を示すフローチャートである。
【図７】この発明の実施の形態にかかる時刻修正方法の手順の別の一例を示すフローチャートである。
【符号の説明】
【００７８】
１０１  計時部
１０２  受信部
１０３  時刻修正判断部
１０４  時刻修正部
１０５  判断基準記憶部
１０６  時刻情報評価部
１０７  電池
１０８  電圧検出部
１０９  受付部
３０８  ゲインコントロール部
３１０  データ判定部
３１１  受信レベル判定部
３１３  取得データ量決定部
３１４  時計状態管理部
３１５  発電検出部
３１６  時刻更新許可部
【図１】
2007263887.tif 000003
【図２】
2007263887.tif 000004
【図３】
2007263887.tif 000005
【図４】
2007263887.tif 000006
【図５】
2007263887.tif 000007
【図６】
2007263887.tif 000008
【図７】
2007263887.tif 000009